(57)【要約】  多目的ハウジングを有する高出力電磁放射源が開示される。この多目的ハウジングは、少なくとも光源を形成する材料で満たされた内部を含み、レーザロッドを光励起するための光源で囲まれた該レーザロッドを覆うことができる反射器をさらに備える。光源の外表面を定める材料は、反射器の外表面まで外方向に延びてそれを定める。反射器の外表面の上に高反射率被膜が配置され、保護被膜も配置される。また、反射器の外表面の上に随意のヒートシンクを配置することができ、ヒートシンク上の強制換気の随意的構成によって冷却が行われる。光源は光源ポンプとすることができ、高反射率被膜は、反射器を覆うように形成することができる。【選択図】図１
2013543256.tif 000002
【特許請求の範囲】
【請求項１】
利得媒質、又は、空気の熱伝導率の約１．５倍又はそれ以上の熱伝導率を有する固体又はゲル状の内部を有する反射器と、
前記利得媒質に向けて又は前記反射器による遮蔽に対してエネルギーを放射するように構成された１つ又はそれ以上の励起又は放射源と、
を備え、
前記励起又は放射源の各々は、（ａ）前記励起源の内腔の内部の壁を形成し、さらにまたチャンバの外表面の壁まで延びてチャンバの外表面の壁を形成する材料、又は、（ｂ）前記放射源の空洞の側壁を形成し、前記内部を通して延びて前記内部を形成し、さらに前記反射器の外部側壁まで延びて前記反射器の外部側壁を形成する材料、を含む、
ことを特徴とする機器。
【請求項２】
前記機器はモノブロック式医療用治療機器であり、前記エネルギーは駆動エネルギーであることを特徴とする、請求項１に記載の機器。
【請求項３】
前記機器は、電磁放射の高出力源であることを特徴とする、請求項１に記載の機器。
【請求項４】
（ａ）励起源として動作可能な１つ又はそれ以上の内腔を定める材料で満たされた、又は励起源として動作可能な１つ又はそれ以上の内腔を定める固体材料を含む、内部と、
（ｂ）（i）前記固体材料内に前記内腔の近傍において配置され、利得媒質を収容する空洞であって、前記材料が前記利得媒質の波長に対して実質的に透明である、前記空洞、及び（ii）前記材料により、前記材料で、及び前記材料を用いて形成された側壁を有する放射源を含む前記材料の空洞、のうちの１つ又はそれ以上と、
（ｃ）前記放射源からのエネルギーを１つ又はそれ以上の所定の方向に反射するように動作可能な、（i）前記材料に境を接し前記放射源の少なくとも部分を覆う、又は（ii）チャンバに近接して配置されて前記内腔を覆う、反射構造体と、
を備えることを特徴とする機器。
【請求項５】
前記機器は、モノブロック式チャンバを有する医療用治療機器であり、前記反射構造体は、前記励起源からのエネルギーを反射して前記空洞に向けるように動作可能であることを特徴とする、請求項４に記載の機器。
【請求項６】
前記機器は、前記材料から熱エネルギーを除去するように結合されたヒートシンクを備えた、電磁放射の高出力源であることを特徴とする、請求項４に記載の機器。
【請求項７】
前記利得媒質は、（ａ）約２．６９ミクロンから約２．８０ミクロンまでの範囲の波長及び（ｂ）約２．９４ミクロンの波長、のうちの１つ又はそれ以上を出力するように構成された電磁エネルギー源を含むことを特徴とする、請求項１〜請求項６のいずれかに記載の機器。
【請求項８】
Ｅｒ：ＹＡＧレーザ、Ｅｒ：ＹＳＧＧレーザ、Ｅｒ，Ｃｒ：ＹＳＧＧレーザ及びＣＴＥ：ＹＡＧレーザのうちの１つを備えることを特徴とする、請求項１〜請求項６のいずれかに記載の機器。
【請求項９】
歯、骨、軟骨及び軟組織のうちの１つ又はそれ以上を含むターゲット表面を治療するのに適したエネルギーを出力することを特徴とする、請求項１〜請求項６のいずれかに記載の機器。
【請求項１０】
治療用エネルギーと流体粒子とを同時に出力するように構成されることを特徴とする、請求項１〜請求項６のいずれかに記載の機器。
【請求項１１】
前記機器は、ターゲット表面の上方の体積内に噴霧流体粒子を配置するように構成された噴霧器を備え、
前記利得媒質は、比較的多量のエネルギーを前記ターゲット表面上方の前記体積内にある前記噴霧流体粒子に付与し、それにより前記噴霧流体粒子を膨張させて破壊的力を前記ターゲット表面に加えるように構成されることを特徴とする、請求項１〜請求項６のいずれかに記載の機器。
【請求項１２】
前記機器は、ターゲット表面の上方の体積内に水を配置するように構成され、
前記利得媒質は、比較的多量のエネルギーを前記体積内に付与し、それにより前記水を膨張させて破壊的力を前記ターゲット表面に加えるように構成されることを特徴とする、請求項１〜請求項６のいずれかに記載の機器。
【請求項１３】
少なくとも１つの前記励起源は、１つ又はそれ以上のダイオードを含むことを特徴とする、請求項１〜請求項６のいずれかに記載の機器。
【請求項１４】
前記機器は、前記材料により、前記材料内に、及び前記材料で形成された複数の励起源を備え、前記材料は、前記チャンバを形成し、前記利得媒質を保持するように構成され、ここで前記材料は、前記励起源の空洞を定める内表面と、前記チャンバの外部側壁を定める外表面とを有することを特徴とする、請求項１〜請求項６のいずれかに記載の機器。
【請求項１５】
前記チャンバの近傍に配置された反射被膜をさらに備えることを特徴とする、請求項１〜請求項６のいずれかに記載の機器。
【請求項１６】
前記チャンバの外部側壁の周囲に配置された高反射率被膜をさらに備えることを特徴とする、請求項１〜請求項６のいずれかに記載の機器。
【請求項１７】
前記チャンバに結合されたヒートシンクをさらに備えることを特徴とする、請求項１〜請求項６のいずれかに記載の機器。
【請求項１８】
前記チャンバに結合されたヒートシンク、及び前記ヒートシンクの上に空気を循環させる空気移動要素をさらに備えることを特徴とする、請求項１〜請求項６のいずれかに記載の機器。
【請求項１９】
前記チャンバは、第１の励起源側壁で形成された第１の半体と、第２の励起源側壁で形成された第２の半体とを備えることを特徴とする、請求項１〜請求項６のいずれかに記載の機器。
【請求項２０】
前記１つ又はそれ以上の励起源は、複数の励起源を含むことを特徴とする、請求項１〜請求項６のいずれかに記載の機器。
【請求項２１】
前記機器は、（ａ）複数の励起源を含む前記１つ又はそれ以上の励起源、及び（ｂ）前記複数の励起源の間又は中央に配置された前記利得媒質、のうちの１つ又はそれ以上によって特徴付けられることを特徴とする、請求項１〜請求項６のいずれかに記載の機器。
【請求項２２】
前記材料は、前記励起源の側壁と一体に形成されることを特徴とする、請求項１〜請求項６のいずれかに記載の機器。
【請求項２３】
前記材料はサファイアを含むことを特徴とする、請求項１〜請求項６のいずれかに記載の機器。
【請求項２４】
各々の前記励起源はフラッシュランプであり、前記利得媒質はレーザロッドであり、前記チャンバは反射器であることを特徴とする、請求項１〜請求項６のいずれかに記載の機器。
【請求項２５】
前記高出力源は、多目的ハウジングをさらに備え、前記多目的ハウジングは、前記放射源によって放出される電磁放射に対して高度に透明であり且つ約１Ｗ／ｍ℃より大きい熱伝導率（約２５℃で測定）を有する材料で作成され、ヒートシンクとして機能し、前記反射器の部分又は全体を覆い、前記反射器の前記外部側壁に接触する外部側壁を有し、
前記放射源の各々は、前記多目的ハウジング内部の対応する１つの空洞内に電磁放射を放出するように構成される、
ことを特徴とする、請求項１〜請求項３のいずれかに記載の機器。
【請求項２６】
１つ又はそれ以上の前記空洞は、前記多目的ハウジングの一部として形成された電磁放射収集器を含み、
前記高出力源は、前記多目的ハウジングに取外し可能に取付けられて該多目的ハウジング内で発生する熱を取り去るように構成された、外部熱放散器をさらに備える、
ことを特徴とする、請求項２５に記載の機器。
【請求項２７】
前記放射源の各々は、多目的ハウジング内部の対応する１つの空洞内に電磁放射を放出するように構成され、
前記高出力源は、前記多目的ハウジングをさらに備え、前記多目的ハウジングは、前記放射源によって放出される電磁放射に対して高度に透明であり且つ約０．０３Ｗ／ｍ℃より大きい熱伝導率（約２５℃で測定）を有する材料で作成され、ヒートシンクとして機能し、前記内部の一部又は全てを覆い、前記反射材料と接触する外部側壁を有することを特徴とする、請求項４〜請求項６のいずれかに記載の機器。
【請求項２８】
前記ヒートシンクは、前記多目的ハウジングに取外し可能に取付けられて該多目的ハウジングから熱を除去する外部熱放散器であり、１つ又はそれ以上の前記空洞は、該多目的ハウジングの一部として形成された電磁放射収集器を含むことを特徴する、請求項２７に記載の機器。
【発明の詳細な説明】
【技術分野】
【０００１】
本発明は一般に、放射出力機器に関し、より具体的には放射を放出し、反射し、又は導く機器に関する。
（関連出願の相互参照）
本出願は、引用によりその内容が本明細書に組み入れられる２０１０年９月１５日出願の“ＨＩＧＨ  ＰＯＷＥＲ  ＳＯＵＲＣＥ  ＯＦ  ＥＬＥＣＴＲＯＭＡＧＮＥＴＩＣ  ＲＡＤＩＡＴＩＯＮ”と題する米国特許仮出願第６１／３８３，２２７号（Ａｔｔ．  Ｄｏｃｋｅｔ  ＢＩ８３１７ＰＲ３）の利益を主張するものである。本出願は、２００９年１０月１６日出願の「ＨＩＧＨ  ＰＯＷＥＲ  ＳＯＵＲＣＥ  ＯＦ  ＥＬＥＣＴＲＯＭＡＧＮＥＴＩＣ  ＲＡＤＩＡＴＩＯＮ」と題する米国特許仮出願第６１／２５２，５５２号（Ａｔｔ．  Ｄｏｃｋｅｔ  ＢＩ８３１７ＰＲ２）、２００９年９月１８日出願の「ＭＯＮＯＢＬＯＣＫ  ＥＬＥＣＴＲＯＭＡＧＮＥＴＩＣ  ＥＮＥＲＧＹ  ＴＲＥＡＴＭＥＮＴ  ＤＥＶＩＣＥ」と題する米国特許仮出願第６１／２４３，９９２号（Ａｔｔ．  Ｄｏｃｋｅｔ  ＢＩ８３１７ＰＲ）、２００９年６月２９日出願の「ＡＩＲ  ＣＯＯＬＥＤ  ＳＯＬＩＤ  ＳＴＡＴＥ  ＬＡＳＥＲ」と題する米国特許仮出願第６１／２２１，５４４号（Ａｔｔ．  Ｄｏｃｋｅｔ  ＢＩ８２７３ＰＲ）、及び、２００８年２月１日出願の「ＣＯＡＴＥＤ  ＤＩＦＦＵＳＩＶＥ  ＴＹＰＥ  ＲＥＦＬＥＣＴＯＲ  ＦＯＲ  ＳＯＬＩＤ  ＳＴＡＴＥ  ＦＬＡＳＨ  ＬＡＭＰ  ＰＵＭＰ  ＬＡＳＥＲ」と題する米国特許仮出願第６１／０２５，３９８号（Ａｔｔ．  Ｄｏｃｋｅｔ  ＢＩ８０７９ＰＲ）に対する優先権を主張する２００９年１月３０日出願の「ＣＯＡＴＥＤ  ＤＩＦＦＵＳＩＶＥ  ＴＹＰＥ  ＲＥＦＬＥＣＴＯＲ  ＦＯＲ  ＳＯＬＩＤ  ＳＴＡＴＥ  ＦＬＡＳＨ  ＬＡＭＰ  ＰＵＭＰ  ＬＡＳＥＲ」と題する米国特許出願第１２／３６３，６７９号（Ａｔｔ．  Ｄｏｃｋｅｔ  ＢＩ８０７９Ｐ）に関連するものであり、これらの全ての内容は引用により明示的に本明細書に組み入れられる。本発明はまた、「ＥＬＥＣＴＲＯＭＡＧＮＥＴＩＣ  ＥＮＥＲＧＹ  ＤＩＳＴＲＩＢＵＴＩＯＮＳ  ＦＯＲ  ＥＬＥＣＴＲＯＭＡＧＮＥＴＩＣＡＬＬＹ  ＩＮＤＵＣＥＤ  ＭＥＣＨＡＮＩＣＡＬ  ＣＵＴＴＩＮＧ」と題する特許文献１（Ａｔｔ．  Ｄｏｃｋｅｔ  ＢＩ９０６６ＣＯＮ３）、「ＦＬＵＩＤ  ＣＯＮＤＩＴＩＯＮＩＮＧ  ＳＹＳＴＥＭ」と題する米国特許出願第１１／３３０，３８８号（Ａｔｔ．  Ｄｏｃｋｅｔ  ＢＩ９９１４Ｐ）及び、「ＵＳＥＲ  ＰＲＯＧＲＡＭＭＡＢＬＥ  ＣＯＭＢＩＮＡＴＩＯＮ  ＯＦ  ＡＴＯＭＩＺＥＤ  ＰＡＲＴＩＣＬＥＳ  ＦＯＲ  ＥＬＥＣＴＲＯＭＡＧＮＥＴＩＣＡＬＬＹ  ＩＮＤＵＣＥＤ  ＣＵＴＴＩＮＧ」と題する特許文献２（Ａｔｔ．  Ｄｏｃｋｅｔ  ＢＩ９００１Ｐ）に関連し、これらの全ての内容は引用により明示的に本明細書に組み入れられる。
【背景技術】
【０００２】
従来技術には様々な放射出力システムが存在し、各々はそれ自体の種々の利点及びそれ相応の欠点をもつ。光学システムとの関連において、レーザには、疑いなく多くの注目が集まり、開発努力が為されてきた。固体レーザは、例えば、小型で、長期使用に対して信頼度が高く、現場で容易に交換できる点で有利であり得る。
【先行技術文献】
【特許文献】
【０００３】
【特許文献１】米国特許第７，１０８，６９３号明細書
【特許文献２】米国特許第５，５７４，２４７号明細書
【特許文献３】米国特許第７，９７０，０３０号明細書
【特許文献４】米国特許第７，９７０，０２７号明細書
【特許文献５】米国特許第７，９６７，０１７号明細書
【特許文献６】米国特許第７，９５７，４４０号明細書
【特許文献７】米国特許第７，９４２，６６７号明細書
【特許文献８】米国特許第７，９０９，０４０号明細書
【特許文献９】米国特許第７，８９１，３６３号明細書
【特許文献１０】米国特許第７，８７８，２０４号明細書
【特許文献１１】米国特許第７，８６７，２２３号明細書
【特許文献１２】米国特許第７，８１７，６８７号明細書
【特許文献１３】米国特許第７，８１５，６３０号明細書
【特許文献１４】米国特許第７，７５１，８９５号明細書
【特許文献１５】米国特許第７，７０２，１９６号明細書
【特許文献１６】米国特許第７，６９７，８１４号明細書
【特許文献１７】米国特許第７，６９６，４６６号明細書
【特許文献１８】米国特許第７，６９５，４６９号明細書
【特許文献１９】米国特許第７，６６５，４６７号明細書
【特許文献２０】米国特許第７，６３０，４２０号明細書
【特許文献２１】米国特許第７，６２０，２９０号明細書
【特許文献２２】米国特許第７，５７８，６２２号明細書
【特許文献２３】米国特許第７，５７５，３８１号明細書
【特許文献２４】米国特許第７，５６３，２２６号明細書
【特許文献２５】米国特許第７，４６７，９４６号明細書
【特許文献２６】米国特許第７，４６１，９８２号明細書
【特許文献２７】米国特許第７，４６１，６５８号明細書
【特許文献２８】米国特許第７，４５８，３８０号明細書
【特許文献２９】米国特許第７，４２４，１９９号明細書
【特許文献３０】米国特許第７，４２１，１８６号明細書
【特許文献３１】米国特許第７，４１５，０５０号明細書
【特許文献３２】米国特許第７，３８４，４１９号明細書
【特許文献３３】米国特許第７，３５６，２０８号明細書
【特許文献３４】米国特許第７，３２０，５９４号明細書
【特許文献３５】米国特許第７，３０３，３９７号明細書
【特許文献３６】米国特許第７，２９２，７５９号明細書
【特許文献３７】米国特許第７，２９０，９４０号明細書
【特許文献３８】米国特許第７，２８８，０８６号明細書
【特許文献３９】米国特許第７，２７０，６５７号明細書
【特許文献４０】米国特許第７，２６１，５５８号明細書
【特許文献４１】米国特許第７，１９４，１８０号明細書
【特許文献４２】米国特許第７，１８７，８２２号明細書
【特許文献４３】米国特許第７，１４４，２４９号明細書
【特許文献４４】米国特許第７，１０８，６９３号明細書
【特許文献４５】米国特許第７，０６８，９１２号明細書
【特許文献４６】米国特許第６，９４２，６５８号明細書
【特許文献４７】米国特許第６，８２９，４２７号明細書
【特許文献４８】米国特許第６，８２１，２７２号明細書
【特許文献４９】米国特許第６，７４４，７９０号明細書
【特許文献５０】米国特許第６，６６９，６８５号明細書
【特許文献５１】米国特許第６，６１６，４５１号明細書
【特許文献５２】米国特許第６，６１６，４４７号明細書
【特許文献５３】米国特許第６，６１０，０５３号明細書
【特許文献５４】米国特許第６，５６７，５８２号明細書
【特許文献５５】米国特許第６，５６１，８０３号明細書
【特許文献５６】米国特許第６，５４４，２５６号明細書
【特許文献５７】米国特許第６，５３３，７７５号明細書
【特許文献５８】米国特許第６，３８９，１９３号明細書
【特許文献５９】米国特許第６，３５０，１２３号明細書
【特許文献６０】米国特許第６，２８８，４９９号明細書
【特許文献６１】米国特許第６，２５４，５９７号明細書
【特許文献６２】米国特許第６，２３１，５６７号明細書
【特許文献６３】米国特許第６，０８６，３６７号明細書
【特許文献６４】米国特許第５，９６８，０３７号明細書
【特許文献６５】米国特許第５，７８５、５２１号明細書
【特許文献６６】米国特許第５，７４１，２４７号明細書
【特許文献６７】米国特許出願公開第２０１１／０１９２４０５号明細書
【特許文献６８】米国特許出願公開第２０１１／０１７２６５０号明細書
【特許文献６９】米国特許出願公開第２０１１／０１６５５３５号明細書
【特許文献７０】米国特許出願公開第２０１１／０１５１３９４号明細書
【特許文献７１】米国特許出願公開第２０１１／００９６８０２号明細書
【特許文献７２】米国特許出願公開第２０１１／００９６５４９号明細書
【特許文献７３】米国特許出願公開第２０１１／０１２９７８９号明細書
【特許文献７４】米国特許出願公開第２０１１／００８２５２６号明細書
【特許文献７５】米国特許出願公開第２０１１／００５９４１７号明細書
【特許文献７６】米国特許出願公開第２０１１／００３２９５８号明細書
【特許文献７７】米国特許出願公開第２０１０／０２３３６４５号明細書
【特許文献７８】米国特許出願公開第２０１０／０１８５１８８号明細書
【特許文献７９】米国特許出願公開第２０１０／０１６７２２８号明細書
【特許文献８０】米国特許出願公開第２０１０／０１５１４０７号明細書
【特許文献８１】米国特許出願公開第２０１０／０１５１４０６号明細書
【特許文献８２】米国特許出願公開第２０１０／０１４５３２３号明細書
【特許文献８３】米国特許出願公開第２０１０／０１３７８５２号明細書
【特許文献８４】米国特許出願公開第２０１０／０１０００８６号明細書
【特許文献８５】米国特許出願公開第２０１０／０１２５２９１号明細書
【特許文献８６】米国特許出願公開第２０１０／００８６８９２号明細書
【特許文献８７】米国特許出願公開第２０１０／００４２０８２号明細書
【特許文献８８】米国特許出願公開第２００９／０２９８００４号明細書
【特許文献８９】米国特許出願公開第２００９／０２８１５３１号明細書
【特許文献９０】米国特許出願公開第２００９／０２２５０６０号明細書
【特許文献９１】米国特許出願公開第２００９／０１４３７７５号明細書
【特許文献９２】米国特許出願公開第２００９／０１４１７５２号明細書
【特許文献９３】米国特許出願公開第２００９／０１０５７０７号明細書
【特許文献９４】米国特許出願公開第２００９／０１０４５８０号明細書
【特許文献９５】米国特許出願公開第２００９／００７６４９０号明細書
【特許文献９６】米国特許出願公開第２００９／００７５２２９号明細書
【特許文献９７】米国特許出願公開第２００９／００６７１８９号明細書
【特許文献９８】米国特許出願公開第２００９／００６２７７９号明細書
【特許文献９９】米国特許出願公開第２００９／００５６０４４号明細書
【特許文献１００】米国特許出願公開第２００９／００４３３６４号明細書
【特許文献１０１】米国特許出願公開第２００９／００４２１７１号明細書
【特許文献１０２】国際公開第２０１０／０５１５７９号
【特許文献１０３】米国特許出願公開第２００９／００３５７１７号明細書
【特許文献１０４】米国特許出願公開第２００９／００３１５１５号明細書
【特許文献１０５】米国特許出願公開第２００９／０２２５０６０号明細書
【特許文献１０６】米国特許出願公開第２００９／０１４３７７５号明細書
【特許文献１０７】米国特許出願公開第２００９／０１４１７５２号明細書
【特許文献１０８】米国特許出願公開第２００９／０１０５７０７号明細書
【特許文献１０９】米国特許出願公開第２００９／０１０４５８０号明細書
【特許文献１１０】米国特許出願公開第２００９／００７６４９０号明細書
【特許文献１１１】米国特許出願公開第２００９／００７５２２９号明細書
【特許文献１１２】米国特許出願公開第２００９／００６７１８９号明細書
【特許文献１１３】米国特許出願公開第２００９／００６２７７９号明細書
【特許文献１１４】米国特許出願公開第２００９／００５６０４４号明細書
【特許文献１１５】米国特許出願公開第２００９／００４３３６４号明細書
【特許文献１１６】米国特許出願公開第２００９／００４２１７１号明細書
【特許文献１１７】米国特許出願公開第２００９／００３５７１７号明細書
【特許文献１１８】米国特許出願公開第２００９／００３１５１５号明細書
【特許文献１１９】米国特許出願公開第２００８／０３１７４２９号明細書
【特許文献１２０】米国特許出願公開第２００８／０２７６１９２号明細書
【特許文献１２１】米国特許出願公開第２００８／０２４０１７２号明細書
【特許文献１２２】米国特許出願公開第２００８／０２２１５５８号明細書
【特許文献１２３】米国特許出願公開第２００８／０２１９６２９号明細書
【特許文献１２４】米国特許出願公開第２００８／０２１２６２４号明細書
【特許文献１２５】米国特許出願公開第２００８／０２０３２８０号明細書
【特許文献１２６】米国特許出願公開第２００８／０１８１２７８号明細書
【特許文献１２７】米国特許出願公開第２００８／０１８１２６１号明細書
【特許文献１２８】米国特許出願公開第２００８／０１５７６９０号明細書
【特許文献１２９】米国特許出願公開第２００８／０１５１９５３号明細書
【特許文献１３０】米国特許出願公開第２００８／０１３８７６４号明細書
【特許文献１３１】米国特許出願公開第２００８／０１２５６７７号明細書
【特許文献１３２】米国特許出願公開第２００８／０１２５６７６号明細書
【特許文献１３３】米国特許出願公開第２００８／００９７４１８号明細書
【特許文献１３４】米国特許出願公開第２００８／００９７４１７号明細書
【特許文献１３５】米国特許出願公開第２００８／００９７４１６号明細書
【特許文献１３６】米国特許出願公開第２００８／００７０１８５号明細書
【特許文献１３７】米国特許出願公開第２００８／００６９１７２号明細書
【特許文献１３８】米国特許出願公開第２００８／００６５０５７号明細書
【特許文献１３９】米国特許出願公開第２００８／００６５０５５号明細書
【特許文献１４０】米国特許出願公開第２００８／００６５０５４号明細書
【特許文献１４１】米国特許出願公開第２００８／００６５０５３号明細書
【特許文献１４２】米国特許出願公開第２００８／００３３４１１号明細書
【特許文献１４３】米国特許出願公開第２００８／００３３４０９号明細書
【特許文献１４４】米国特許出願公開第２００８／００３３４０７号明細書
【特許文献１４５】米国特許出願公開第２００８／００２５６７５号明細書
【特許文献１４６】米国特許出願公開第２００８／００２５６７２号明細書
【特許文献１４７】米国特許出願公開第２００８／００２５６７１号明細書
【特許文献１４８】米国特許出願公開第２００７／０２９８３６９号明細書
【特許文献１４９】米国特許出願公開第２００７／０２６３９７５号明細書
【特許文献１５０】米国特許出願公開第２００７／０２５８６９３号明細書
【特許文献１５１】米国特許出願公開第２００７／０２０８４０４号明細書
【特許文献１５２】米国特許出願公開第２００７／０２０８３２８号明細書
【特許文献１５３】米国特許出願公開第２００７／０１９０４８２号明細書
【特許文献１５４】米国特許出願公開第２００７／０１８４４０２号明細書
【特許文献１５５】米国特許出願公開第２００７／０１２８５７６号明細書
【特許文献１５６】米国特許出願公開第２００７／０１０４４１９号明細書
【特許文献１５７】米国特許出願公開第２００７／００６０９１７号明細書
【特許文献１５８】米国特許出願公開第２００７／００５９６６０号明細書
【特許文献１５９】米国特許出願公開第２００７／００５４２３６号明細書
【特許文献１６０】米国特許出願公開第２００７／００５４２３５号明細書
【特許文献１６１】米国特許出願公開第２００７／００５４２３３号明細書
【特許文献１６２】米国特許出願公開第２００７／００４２３１５号明細書
【特許文献１６３】米国特許出願公開第２００７／００１６１７６号明細書
【特許文献１６４】米国特許出願公開第２００７／００１４５１７号明細書
【特許文献１６５】米国特許出願公開第２００７／００１４３２２号明細書
【特許文献１６６】米国特許出願公開第２００７／０００９８５６号明細書
【特許文献１６７】米国特許出願公開第２００７／０００３６０４号明細書
【特許文献１６８】米国特許出願公開第２００６／０２８１０４２号明細書
【特許文献１６９】米国特許出願公開第２００６／０２７５０１６号明細書
【特許文献１７０】米国特許出願公開第２００６／０２４１５７４号明細書
【特許文献１７１】米国特許出願公開第２００６／０２４０３８１号明細書
【特許文献１７２】米国特許出願公開第２００６／０２１０２２８号明細書
【特許文献１７３】米国特許出願公開第２００６／０２０４２０３号明細書
【特許文献１７４】米国特許出願公開第２００６／０１４２７４５号明細書
【特許文献１７５】米国特許出願公開第２００６／０１４２７４４号明細書
【特許文献１７６】米国特許出願公開第２００６／０１４２７４３号明細書
【特許文献１７７】米国特許出願公開第２００６／０１２６６８０号明細書
【特許文献１７８】米国特許出願公開第２００６／００９９５４８号明細書
【特許文献１７９】米国特許出願公開第２００６／００８３４６６号明細書
【特許文献１８０】米国特許出願公開第２００６／００４３９０３号明細書
【特許文献１８１】米国特許出願公開第２００５／０２８３１４３号明細書
【特許文献１８２】米国特許出願公開第２００５／０２８１８８７号明細書
【特許文献１８３】米国特許出願公開第２００５／０２８１５３０号明細書
【特許文献１８４】米国特許出願公開第２００５／０２５６５１７号明細書
【特許文献１８５】米国特許出願公開第２００５／０２５６５１６号明細書
【特許文献１８６】米国特許出願公開第２００４／０１０６０８２号明細書
【特許文献１８７】米国特許出願公開第２００４／００９２９２５号明細書
【特許文献１８８】米国特許出願公開第２００４／００９１８３４号明細書
【特許文献１８９】米国特許出願公開第２００４／００６８２５６号明細書
【特許文献１９０】米国特許出願公開第２００３／０２２８０９４号明細書
【特許文献１９１】米国特許出願公開第２００２／０１４９３２４号明細書
【特許文献１９２】米国特許出願公開第２００２／００１４８５５号明細書
【非特許文献】
【０００４】
【非特許文献１】ｈｔｔｐ：／／ｗｗｗ．ｏｒｎｌ．ｇｏｖ／ｉｎｆｏ／ｏｒｎｌｒｅｖｉｅｗ／ｖ３３＿３＿００／ｆｏａｍ．ｈｔｍ
【非特許文献２】ｈｔｔｐ：／／ｗｗｗ．ｍｓ．ｏｒｎｌ．ｇｏｖ／ｒｅｓｅａｒｃｈｇｒｏｕｐｓ／ＣＭＴ／ＦＯＡＭ／ｆｏａｍｓ．ｈｔｍ
【発明の概要】
【０００５】
本発明による反射器は、反射器に放射（即ち、電磁エネルギー）を出力させる駆動エネルギー（例えば、光）を供給する１つ又はそれ以上の放射源（例えば、光源）の形態（例えば、ボディ）を含むように作成される。光源の外表面を定める材料は、反射器の外表面まで外方向に延びてその反射器の外表面をも定める。反射器の外表面の上に高反射率被膜を配置し、次いで随意の保護被膜を配置することができる。また、ヒートシンクを反射器に結合し、ヒートシンクの部分の上に強制空気を導くことにより冷却を行うことができる。
【０００６】
限定ではなく例示のみを目的として、光学システムとの関連で、反射器は、ポンピングチャンバ用の反射器とすることができ、これは随意に空冷することができ、１つの励起源（例えば、光源）に隣接する又は複数の励起源に囲まれた利得媒質（例えば、レーザロッド）を（その一体部分として）含むことができ、励起源は、利得媒質に駆動エネルギー（例えば、光励起）を供給して該利得媒質に電磁エネルギーを出力させる。各励起源は光源ポンプとすることができ、高反射率被膜は反射器を覆うように形成することができる。
【０００７】
一態様において、電磁放射の高出力源は、多目的ハウジングを有し、この多目的ハウジングは、少なくとも光源を形成する材料で満たされた内部を含み、レーザロッドを光励起するための光源で囲まれた該レーザロッドを（随意に）覆うことができる反射器をさらに含む。
【０００８】
装置及び方法は、機能的説明を伴う文法上の流動性（ｇｒａｍｍａｔｉｃａｌ  ｆｌｕｉｄｉｔｙ）を有して又はその目的のために説明されるが、特許請求の範囲は、特段の指示がない限り、決して「手段」又は「ステップ」の限定の構成により限定されるものではなく、司法的原則による均等論のもとで特許請求の範囲によって与えられる定義の意味及び均等の完全な範囲に従うべきものであることを明確に理解されたい。
【０００９】
本明細書で説明又は言及されるいずれの特徴又は特徴の組合せも、いずれかのそのような組合せに含まれる特徴が、その文脈、本明細書、及び当業者の知識から明らかに相互に矛盾しないことを条件として、本発明の範囲に含まれる。さらに、説明又は言及されるいずれの特徴又は特徴の組合せも、本発明のいずれかの実施形態から特定的に排除することができる。本発明を要約する目的で、本発明の特定の態様、利点及び新規な特徴が説明又は言及される。当然ながら、必ずしも、そのような態様、利点又は特徴の全てが、本発明のいずれかの特定の実装において具体化されるわけではないことを理解されたい。本発明の付加的な利点及び態様は、以下の詳細な説明及び特許請求の範囲において明らかである。
【図面の簡単な説明】
【００１０】
【図１】本発明の一実施形態によるチャンバ（例えば、反射器）の側断面図を示す。
【図２】同じ実施形態の端部断面図を示す。
【図３】本発明の別の実施形態による第１のフラッシュランプ／反射器構造体の端部断面図を示す。
【図４】他の実施形態による第２のフラッシュランプ／反射器構造体の端部断面図を示す。
【発明を実施するための形態】
【００１１】
次に、本発明の実施形態を説明し、添付の図面に示すが、その事例は、幾つかの実装においては縮尺通りであると解釈すべきであり、他の実装においては、各事例について縮尺通りではないと解釈すべきである。特定の態様において、図面及び説明における類似の又は同一の参照番号の使用は、同一の、同様の又は類似の構成要素及び／又は要素について言及するものであるが、他の実装によれば、同じものの使用がそれに当てはまらない場合もある。特定の実施形態によれば、方向を示す用語、例えば、上部、底部、左、右、上、下、上に、上方、下方、真下、背面、前面などの使用は文字通り解釈されるべきであり、他の実施形態においては、同じものの使用がそのように解釈されないこともある。本発明は、当技術分野で普通に使用される種々の機器及び技術と併せて実施することができ、普通に実施される多数のプロセスステップのうちの、本発明の理解をもたらすのに必要なものだけが本明細書に含められる。本発明は、一般に放射出力システム及びプロセス、例えば、放射を放出し、反射し又は導く機器（例えば、ＬＥＤ、ヘッドアンプなど）の分野に用途を有する。
【００１２】
本発明による高出力電磁放射源は、１つ又はそれ以上の放射源（例えば、光源）として形成され（例えばその形に仕上げられた）且つ実際にそれを形成する側壁を有する内部（例えば、ハウジング、又は反射器、及び／又はポンピング空洞）を有し、この放射源は、反射器からの放射の放出、反射又はチャネリングのうちの１つ又はそれ以上によって放射源に放射（即ち、電磁エネルギー）を出力させる又は生じさせる、駆動エネルギー（例えば、光）を供給する。内部がハウジングによって形成される実装によれば、ハウジングは多目的ハウジングを含むことができ、これは、例えば、そのハウジングが、反射器、ポンピングチャンバ、１つ又はそれ以上の励起源及び／又は利得媒質としての目的を少なくとも部分的に満たすように機能することができることを意味する。別の実装において、多目的ハウジングは反射器及び放射源として機能することができる。
【００１３】
多目的ハウジングは、１つ又は複数の放射源（例えば、励起源）によって放出される電磁放射に対して高度に透明な材料で作成され、高い熱伝導率を有し、ヒートシンクとして機能する（以下を参照されたい）。反射器の目的の場合には、１つ又はそれ以上の放射源の波長を反射するための反射器構造体を、多目的ハウジングの外壁に直接接触するように形成することができる。
【００１４】
典型的な実装において、放射源は、反射器・照明器複合モノブロックを含み、及び又は、０．１乃至１００Ｗ、例えば特定の実施形態によれば０．１乃至１０Ｗの平均出力を有するエネルギー（例えば、コヒーレント光）を出力する。従って、本発明は非常に大きな出力に限定されるものではないが、本発明の特徴は、放射源がそのような比較的大きな出力を出力することが可能であることである。
【００１５】
一態様において、高出力電磁放射源は、多目的ハウジングを有し、この多目的ハウジングは、少なくとも光源を形成する材料で満たされた内部を含み、レーザロッドを光励起するための光源によって囲まれた該レーザロッドを（随意に）覆うことができる反射器をさらに含む。
【００１６】
本発明を説明する一助として、何らかの限定のためではなく単に例証を目的として、以下の図面及び付随する説明は、医療用レーザ機器及び外科的機能を実行するための医療用レーザ機器の操作方法の例示的な状況において提供される。本発明をそのような事項に限定することを意図する如何なる内容も、仮にあったとすれば、明確且つ明瞭にそれとして区別されることになろう。
【００１７】
本発明による電磁エネルギー放射システム（例えば、レーザ、例えば、それに限定されないが、固体レーザのようなレーザ）は、電磁エネルギー（例えば、コヒーレント光）を出力するための利得媒質（例えば、レーザロッド）、及び、利得媒質の近傍に配置され、利得媒質に向かって駆動（例えば、ポンピング）エネルギーを放出して利得媒質にエネルギーを放出させるための１つ又はそれ以上の励起源（フラッシュランプ及び／又はダイオード）を備える。フラッシュランプは、ここで励起源として使用されるとき、フラッシュランプ電流によって駆動される。フラッシュランプ電流がフラッシュランプを駆動して、それにより駆動エネルギー（例えばフラッシュ光）を生成及び放出し、次にこのエネルギーが直接的に及び反射器の補助のもとに、その両方によって利得媒質（例えば、レーザロッド）に導かれる。駆動エネルギー放射（例えば、光分布）は、励起源によって生成され、反射鏡によって修正／誘導されると、利得媒質を駆動して出力エネルギー（例えば、コヒーレント光）を生成する。
【００１８】
利得媒質及び励起源は、反射器内部に配置され、この反射器は、例えば、励起源から放出される駆動エネルギーを利得媒質の方向に導くチャンバ（例えば、ポンピングチャンバ反射器）の形態を取ることができる。反射器は、拡散（例えば、高度に均一なエネルギー分布を有するセラミック構造）及び鏡面（例えば、高効率且つ低均一性の反射被膜）構造、特性及び／又は機能のうちの１つ又はそれ以上を備えることができる。
【００１９】
励起源からの駆動エネルギーを利得媒質内へ導くことに加えて、反射器は、さらに、利得媒質及び励起源のうちの１つ又はそれ以上に対する冷却を随意に提供することができる。本発明のこの特徴により、反射器は、流体、例えばそれに限定されないが非液体（例えば、気体）の冷却流体を利得媒質及び励起源のうちの１つ又はそれ以上に対して供給する冷却機構を備える。即ち、冷却は、最終的に流体冷却ヒートシンク（例えば、反射器に対して外に配置されたヒートシンク）に結合される固体材料内の対流によるものとすることができる。
【００２０】
本発明の特徴は、励起源を利得媒質に対して平行に配置することによって、歪み（例えば、熱ウェッジング（ｔｈｅｒｍａｌ  ｗｅｄｇｉｎｇ）による熱歪み）を小さくしようとするものである。それでもなお、例えば、利得媒質の軸に沿った又は軸を横断する熱勾配などに起因するある程度の熱歪みがいまだ存在し得る（例えば、利得媒質内に内部応力を生成し、寿命を短くし、及び／又は効率を低下させる）限りは、本発明のさらなる特徴は、複数（例えば２つ）の励起源を利得媒質の両側に平行に配置することによって歪みをさらに小さくしようとするものである。従って、例示的な気体冷却の状況においては特に、より大きな励起（例えば、ポンピング）をより小さい熱歪み（例えば、利得媒質の湾曲）で実現することができる。
【００２１】
本発明の別の特徴は、反射器の内部体積を、高い熱伝導率（例えば気体の熱伝導率より高い）を有し、励起源からの駆動エネルギーの波長に対して透明な材料（例えば、気体ではない）で形成することを含む。この材料は、空気より大きい熱伝導率、例えば、サファイアの熱伝導率を有することができる。約２５℃の温度において、空気の熱伝導率は約０．０２４Ｗ／ｍ℃であり、他方、サファイアの熱伝導率は約２３．０Ｗ／ｍ℃である。本発明に用いるのに何ら特別な適性を有しているわけではないが参考のためだけに挙げる幾つかの他の材料は、同じ温度において、それぞれ約０．０３、０．０４、１．０５、１．７−４の熱伝導率を有する、発泡プラスチック（絶縁材料用）、ガラス繊維、ガラス及びグラナイトである。本発明の一態様は、反射器の内部体積を、空気の熱伝導率より約５０％程度大きい（例えば、空気が０．０２４の場合、熱伝導率は約０．０３６となる）、又はより好ましくは約０．０３Ｗ／ｍ℃若しくは０．０４Ｗ／ｍ℃、又はより好ましくは約１．０Ｗ／ｍ℃より大きい、又はさらにより好ましくは約４．０Ｗ／ｍ℃より大きい熱伝導率と少なくとも同じほど大きいか又はそれより大きい熱伝導率（２５℃で測定）を有する材料で形成することであり得る。
【００２２】
典型的な実施形態によれば、反射器の内部は、気体ではなく固体又はゲル状であり、及び／又は、励起源（例えば、フラッシュランプ）のケーシング材料に通常使用される励起源エンケーシング材料で満たされる（例えば、これを収容する）。
【００２３】
本発明の一態様は、反射器の内部を励起源エンケーシング材料又はその機能的類似物若しくは均等物で形成し、これが励起源（例えば、反射器のそれぞれの空洞又は内腔の内部に保持される）のエンケーシング材料に接触する。一態様によれば、各々の励起源と反射器の内部との間には空隙（例えば、チャネル及び／又は流路）が存在しない（例えば、配置されない又は形成されない）。本発明の別の態様は、反射器の内部（例えば、固体内部）を励起源のエンケーシング材料と一体に形成する。本発明のさらに別の態様は、反射器の内部を、１つ又はそれ以上の励起源の材料と同じ材料で（例えば、その材料により又はその材料として）一体に形成するものであり、それにより励起源の部分（例えば、外表面）が反射器の内部を事実上形成するものと考えることができ、換言すれは、反射器の内部が励起源（例えば、励起源の外表面）を事実上形成する（例えば、作り上げる又は定める）ものと考えることができる。従って、エンケーシング材料のような材料（例えば、高い熱伝導率を有する及び／又は駆動エネルギーの波長に対して光学的に透明な固体材料）は、反射器（例えば、ポンピングチャンバ）の内部（例えば、内側側壁）を定める（例えば、形成する）ことができ、且つ、１つ又はそれ以上の励起源の外表面もまた定める（例えば、形成する）ことができる。
【００２４】
より詳細に図面を参照すると、図１は本発明の一実施形態による反射器の側断面図を示し、図２は同じ反射器の端部断面図を示す。直前に説明した（即ち、一体形成の）態様の具体的な実装は、反射器の内部を励起源エンケーシングから形成する。それゆえ、図に示すように、反射器の材料は、その内部を満たすように延びることができ、さらに、励起源の空洞（例えば、内腔）を定める内表面（例えば、励起源を事実上作成／形成するので、そのため該材料で形成された空洞内にアノード／カソード／活性媒質のみを挿入する以外は反射器内には何も挿入する必要がない）と、反射器の外表面を定める外表面とを有することができる。典型的な実施形態において、この材料（例えば、エンケーシング材料）は、励起源の波長に対して光学的に透明の、及び／又は高い熱伝導率（例えば、少なくとも空気の熱伝導率より大きい）を有する材料を含む。例示的な実装によれば、励起源はフラッシュランプ（例えば、図１のランプ１及びランプ２）を含み、及び／又は、エンケーシング材料はサファイア含む。
【００２５】
図３は、本発明の一実施形態による第１のフラッシュランプ／反射器構造体の端部断面図を示し、図４は、別の実施形態による第２のフラッシュランプ／反射器構造体の端部断面図を示す。ここでは、反射器の内部は励起源エンケーシングから形成され、それにより、励起源のエンケーシングは反射器の内部を満たす程に拡張される。本発明のこの態様により、反射器を１つ又はそれ以上の励起源の材料と同じ材料で（例えば、その材料による、その材料としての、又はその材料からの）一体に形成することは、特定の環境又は動作条件下で存在し得る励起源の軸に沿った又は軸を横切る熱勾配などによる熱歪み（例えば、励起源内に、潜在的にその寿命を短くし及び／又はその効率を低下させるように作用する内部応力を生成する）に対抗し、これを低減し又は安定化させることができる。この構成の結果として、例えば気体冷却などの例示的な状況において、より大きな励起を実現することができる。
【００２６】
図３及び図４において、励起源のエンケーシングが反射器を形成するように拡張される状況に加えて、各々の励起源の各エンケーシングは、反射器の半体を形成するように拡張される。２つの半体、例えば図３の半体と図４の半体は、次に、当業者が適当と見なす任意の手段を用いて互いに固定されて反射器を形成することができる。例えば、２つの半体は、本開示を考慮すれば当業者には明らかとなるように、クランプ、バンド、任意の種類のバイス・グリップ機構、圧着又は圧入、溶接、接合、接着、相補的又は他の種類のハウジング／調心／保持構造、ヒンジ、フランジ構造、及びこれらの組合せを用いて固定することができる。典型的な実装において、上半分及び下半分の空洞内に励起源は挿入されないが、その理由は、各々の半体がその内部に及びそれら自体で励起源のボディ（例えば、それらの対向する端部にアノード及びカソードを有し、内部に適切な気体（例えば、キセノン）又は他の励起を有し、適切な被膜、適切な寸法などを有する）を形成するからである。さらに、幾つかの（例えば、代替の）実施形態により、上で引用した米国特許仮出願第６１／２２１，５４４号の１つ又はそれ以上の構造体（例えば、１つ又はそれ以上の励起源、及び／又は、流体又は空気冷却構造／機能、例えば「空冷チャンバ」、「空気経路」、「流管」、「空気流管」及び「透明反射器ブロック」、のうちのいずれか１つ又はそれ以上）を、全体的又は部分的に、任意の組合せで、本明細書で説明する態様、特徴及び構造のいずれかに含めることができる。
【００２７】
随意の利得媒質は、例えば、約５０−７０ｍｍの長さ及び約３−４ｍｍの直径を有する細長い円柱ロッドの形態で準備された固体材料を含むことができる。より強力な冷却のために、円柱ロッドは、長さをより長くして及び／又は比較的高い長さ対直径比で準備することができる。例えば、利得媒質は、上記の長さから約１１０−１３０ｍｍまでとすることができ、及び／又は、約２−６ｍｍの範囲の直径を有することができる。本発明による例示的な構造は、約１１０−１１５ｍｍ長及び約３−４ｍｍ（例えば、約３ｍｍ）幅とすることができる。そのような細長い利得媒質は、熱放散の利点をもたらす一方で、例示的な空冷の状況における場合のように熱歪みの影響を受け易い可能性があり、それゆえ、（限定ではなく、好ましくは）利得媒質の長さに近い又は適合する長さに形成することができる、複数の平行に配置された励起源の重要性又は有用性が潜在的に強調される。
【００２８】
示したように、細長い利得媒質は、活性イオンでドープされた結晶性材料（例えば、ガラス又はプラスチック）のような適切な活性材料を含むことができる。一態様によれば、利得媒質と反射器の内部との間には空隙（例えば、チャネル及び／又は流路）が存在しない（例えば、配置されない又は形成されない）。しかし、他の実装は、利得媒質と反射器の内部との間に配置又は形成される１つ又はそれ以上の空隙（例えば、チャネル、空隙及び／又は流路）を含むことができる。
【００２９】
ここで具体化されるように、活性物質は、共振器の内部に形成され、又は共振器の部分として形成され、又は共振器である。例示的な構成において、共振器は一対の反射素子（例えば、ミラー）によって具体化する（例えば、定める）ことができる。反射素子は、活性物質の両端に配置することができる。例えば、一方又は両方の反射素子を、活性物質のそれぞれの端部から離間配置し、それぞれの端部に（既知の技術を用いて）取付け、及び/又は、それぞれの端部上の被膜として（既知の技術を用いて）形成することができる。図１に示す構成は、反射器内に取付けられた構造体として形成された２つの反射素子を含む。
【００３０】
図１を詳細に参照すると、２つの反射素子は、活性物質の両端部に取付けられた状態で示されている。図示された組立体によれば、各々の反射素子は、不活性物質（例えば、非ドープＹＳＧＧガラス）の端部に取付けられ（例えば、塗布され及び／又はその上に形成され）、次にこの不活性物質を活性物質（例えば、Ｅｒ、Ｃｒ：ＹＡＧＧドープガラスロッド）に取付ける（例えば、圧着、接触、及び／又は接合する）ことによって、活性物質に結合される。他の実装において、活性物質部分及び／又は不活性物質部分の長さは異なるものとすることができる。例えば、それらの長さが異なっていてもよいが３つの部分全体の実際の長さがおよそ等しくなるようにして、２つの反射素子を、図示したように反射器の側壁／側部と面一に配置することができる。他の実施形態において、２つの反射素子は面一にはない。
【００３１】
代替の実施形態／構造体において、反射素子のうちの１つ又はそれ以上を活性物質から切り離す（例えば、活性物質上の被膜として形成しない、及び／又は、活性物質に対して全体的に又は部分的に自立させる）及び／又は共振器の外側に配置する（例えば、それでもなお活性物質の光軸に沿って位置合わせする）ことができる。他の実施形態において、１つ又はそれ以上の不活性材料部分の長さをゼロとし、及び／又は、２つの反射素子は、反射器の側部と面一になるように又は面一にならないように形成される。２つの反射素子は、例えば出力カプラ（ＯＣ）の形態の集光鏡、及び高反射鏡（ＨＲ）を含むことができる。レーザの実施形態において、例えば、それに限定されないが、利得媒質がレーザロッドであり、これがフラッシュランプを含む励起源によってポンピングされて該レーザロッドを活性状態に到達させ、フラッシュランプからの光に曝露されるとレーザ利得をもたらすような（例えば、固体）レーザの状況において、ＯＣ及びＨＲ素子は高反射率を有することができる。典型的な実施形態において、ＯＣは低い値から高い値までに及ぶ範囲の反射率を有することができ、ＨＲはミラー（例えば、非常に高い反射率を有する）を含むことができる。特定の実装は、６乃至９９％、又は７０乃至９５％、又は約８０％の反射率を有するＯＣと、９９％、又は９９．５％、又は９９．９％の反射率を有するＨＲとを備えることができる。
【００３２】
随意の不活性物質、反射素子、及び活性物質のうちの１つ又はそれ以上を、液浸媒体（例えば、高い熱伝導率、及び、励起源の波長に対する光学的透明性を有する接着剤）と接触させることができる。例えば、液浸媒体は、水、ゲル（例えば、粘稠グリセリン）、及び接着剤（例えば、適切な粉末を加えたポリメチルメタクリレート）のうちの１つ又はそれ以上から構成すること、本質的に構成すること、又はそれらを含むことができる。一例において、液浸媒体は水である。別の例において、液浸媒体は、利得媒質と反射器内部の材料（例えば、サファイア）との間に配置される。反射器内部の材料は、利得媒質を保持するための内腔又は空洞を形成することができ、これにより、例えば、液浸媒体を利得媒質に沿って内腔又は空洞内に配置することができる。別の例は、励起源の波長に対して光学的に透明で、高い熱伝導率（例えば、空気の熱伝導率よりも遥かに高い）を有し、利得媒質と反射器内部の材料（例えば、サファイア）との間に配置される、水をベースとするゲルの形態の液浸媒体を含むことができる。
【００３３】
反射器の外部（例えば、サファイア）は、励起源からの駆動エネルギー（例えば、ポンピング光）の反射を高めるために（即ち、高反射率材料で）被覆された表面（例えば、高度に研磨された表面）を含むことができる。反射器は一般に、高いエネルギー移動効率をもたらすのに適した明確な形状を有するように形成される。反射器の外径（ＯＤ）値の非限定的な範囲は、約１２ｍｍから約５５ｍｍまでとすることができ、そして、反射器の長さ値の例示的かつ非限定的な範囲は、約１０ｍｍから約１５０ｍｍまでとすることができる。
【００３４】
レーザロッドの形態の利得媒質をフラッシュランプでポンピングし、これによりフラッシュランプのエネルギーがレーザロッドを励起するために集光されるような方式でレーザロッド内へと導かれる場合には、このようなフラッシュランプを、例えば所定のパルス形状及び周波数を含むフラッシュランプ電流で駆動されるような、エルビウムレーザシステムの励起源として用いることができる。
【００３５】
反射器内部は、代替の実施形態において、直列又は並列の冷却経路、エネルギー吸収流管、結晶及びランプ水冷ジャケット、冷却継ぎ手、及びＯリングのうちの１つ又はそれ以上を含むことができる。典型的には、本発明の反射器は、励起源及び利得媒質を囲む楕円又は円筒形状を有する。例示的な（例えば、付加的な及び／又は代替的な）構成の反射器の部分又は全部（例えば、エンケーシング材料に対して半径方向に外側の部分）は、部分的に又は全体的に、エンケーシング材料（例えば、サファイア）との組み合わせで又は組み合わせではなく、さびない材料（例えば、金、銀、アルミニウム、ステンレス鋼、又は青銅）又は非金属材料（例えば、セラミック又はドープガラス）を含むように形成された、円筒又は楕円形状のボディを含むことができる。特定の実装によれば、利得媒質を駆動するための駆動エネルギー分布を生成するという励起源の目的を促進するために、反射表面は、上記の要素のいずれかを含むことができ、及び／又は、１つ又はそれ以上の励起源及び利得媒質に近接して配置することができる。そのような反射表面構成は、反射器として言及することができ、例えば、反射器の内部（例えば、チャンバ）の、駆動エネルギーに曝される１つ又はそれ以上の表面の上に形成することができる。
【００３６】
利得媒質のいずれかの部分又は全部を反射器の部分として形成する（例えば、一体に形成する）ことができる。例えば、利得媒質のエンケーシングの部分又は全部を、反射器の部分（例えば、固体内部の一部分、又はもっと多くの部分／大部分／全て）を形成するように拡張することができる。特定の実装において、反射器の内部は、利得媒質のエンケーシングから又は利得媒質のエンケーシングで形成することができ、それにより、利得媒質及び／又は励起源のエンケーシングは、反射器の内部を満たす程度に拡張される。他の実装において、反射器の内部は、１つ又はそれ以上の励起源エンケーシングから、及び／又は利得媒質エンケーシングから形成される。反射器の内部の体積は、例えば、励起波長に対する透明性及び高い熱伝導率を有する固体（例えば、サファイア）を含むことができる。従って、利得媒質の材料は、反射器内部の部分／全てを満たすように拡張することができ、さらに利得媒質の空洞を定める内表面（例えば、利得媒質を事実上作成／形成するので、そのため利得媒質を反射器内に挿入する必要がなく、該物質で形成された空洞内にはＨＲ、ＯＣ、活性物質、随意の不活性物質などを挿入／組み込むだけでよい）と、反射器の外表面を定める外表面とを有することができる。例えば、２つの反射表面（例えば、ＨＲ及び／又はＯＣ）のうちの１つ又はそれ以上を、不活性物質（例えば、非ドープＹＳＧＧガラス）の端部上に形成することを介して活性物質に結合することができる。
【００３７】
本発明の特徴は、例えば、金、銀、又は他の高反射率材料（例えば、上記の要素のいずれかを含む）を含むことができる高反射率材料で、反射器の外側（即ち外部）表面を被覆する（例えば、吹きつけ、浸漬、塗布、堆積、真空などによる）ことを含む。典型的な構成は、ポンピングチャンバ反射器の外側（即ち外部）表面の全て又は実質的に全てを高反射率材料で被覆することを含むことができる。本発明の一態様によれば、高反射率材料を例えば鏡面ポンピングチャンバ反射器の上に形成するのに用いられる既知のいずれかの材料及び／又はプロセスを、全体的に又は部分的に、任意の組合せ又は並べ替えで用いて、多目的ハウジング（例えば、反射器）の外側表面に高反射率材料の被膜を塗布することができる。一例として、高反射率材料は、反射器（例えば、ポンピングチャンバ反射器）の外表面上に例えば銀を真空蒸着又は電解被覆することによって、ポンピングチャンバ反射器の外表面上に形成することができる。他の実施形態において、拡散ポンピングチャンバ反射器は、楕円（例えば、楕円、円筒及び／又は中実管）形状に形成されたパイレックス（登録商標）、石英及び／又は上記のサファイアのような材料を含むことができ、その外側（即ち外部）表面は、前述のように高反射率材料でコーティングされる。
【００３８】
高反射率材料（例えば被膜）は、例えば、約１０ｎｍから約１０，０００ｎｍまでの範囲の厚さ、特定の実施例においては約１０００ｎｍの厚さを有することができる。一実装によれば、多目的ハウジング、チャンバ又は空洞（例えば管）の外表面の全体にわたって均一な被膜厚が設けられる。外表面を高反射率材料（例えば、銀）で被覆した後、高反射率材料の上に保護層を形成することができる。例えば、保護層は、多くの例のうちの一例として、約１ミクロンの厚さに形成された、二酸化シリコン層のような耐食性材料を含むことができる。
【００３９】
流体（例えば、空気）を反射器の上及び／又は周囲に循環させて冷却することができる。１つの特徴によれば、流体（例えば、空気）の循環は、例えば吸気口における、流体の予備冷却を含むことができ、そのため組立体は気体が加熱されるより大きな温度範囲を有することができるので、より多くの熱エネルギーを素子から取り除くことができる。重要なことは効率を最適にすることであり得るので、それにより、流体（例えば、空気）冷却を有することから得られる全ての利益は、失われる（例えば、冷却システムの複雑さ、コスト及びサイズ）ことなく、むしろ大きくなる。
【００４０】
本発明の特徴により、ヒートシンクが反射器の外部上に配置されるか又はそれ以外の方法で結合される。ヒートシンクは、例えば、高反射率材料の配置後及び／又は保護層の塗布後に、反射器の露出／外側表面の一部又は全部の上に形成することができる。ここで具体化されるように、ヒートシンクは、「炭素発泡体（ｃａｒｂｏｎ  ｆｏａｍ）」と呼ばれる材料を含むことができる。この材料は、機械加工することができ、強化することができ、それでもなお水中のアルミ箔よりも優れた空気中での熱交換能力を有する。この材料の一例として、テキサス州ＤｅｃａｔｕｒのＰｏｃｏ  Ｇｒａｐｈｉｔｅ，Ｉｎｃ．のＰＯＣＯＦｏａｍ（登録商標）がある。炭素発泡体を強化すると、空気流は吹き抜けたときにその材料を浸食しない（アリゾナのレッドロックのように）。強化は、数オングストローム（数分子層）のセラミック膜を炭素発泡体（例えば、この発泡体は約７０％の多孔性とすることができる）の表面領域上に堆積させることを含む。引用により本明細書に組み入れられる炭素発泡体に関する情報は、非特許文献１及び非特許文献２から取得することができる。ヒートシンクは、図２に示されるように、且つヒートシンクの技術分野の当業者には既知であるように、リブを備えることができる。従って、冷却のために、空気をヒートシンクの突起部及び溝の上、周囲及びそれらを通して循環させることができる。より強力な冷却のために、ヒートシンクの片側を熱電冷却機器の冷却板に取付けることができる。
【００４１】
特定の実装によれば、反射器によって生成されたレーザエネルギーは、パワーファイバ又は治療ファイバからの出力であり、これは、例えば、ターゲット表面（例えば、歯、骨、軟骨及び軟組織のうちの１つ又はそれ以上）の上方のハンドピースの流体出力部から放出される流体（例えば、ハンドピースの出力末端付近の水接続部又は噴霧接続部からの、空気及び／又は散水又は流体粒子の噴霧分布）内に導かれる。流体出力部は、例えば米国特許出願第１１／０４２，８２４号及び米国特許仮出願第６０／６０１，４１５号に記載されているようにパワーファイバの回りに同心状に配置された複数の流体出力部を含むことができる。パワーファイバ又は治療ファイバは、約２．６９ミクロンから約２．８０ミクロンまでの範囲内の波長及び約２．９４ミクロンの波長のうちの１つ又はそれ以上を含む電磁エネルギー源に結合することができる。特定の実装において、パワーファイバは、Ｅｒ：ＹＡＧレーザ、Ｅｒ：ＹＳＧＧレーザ、Ｅｒ，Ｃｒ：ＹＳＧＧレーザ及びＣＴＥ：ＹＡＧレーザのうちの１つ又はそれ以上と結合することができ、特定の場合には、約２．７８９ミクロンの波長を有するＥｒ，Ｃｒ：ＹＳＧＧ固体レーザ及び約２．９４０ミクロンの波長を有するＥｒ：ＹＡＧ固体レーザのうちの１つに結合することができる。電磁エネルギーをターゲット表面上方の流体粒子の噴霧分布内に導くための対応する構造を含んだ装置は、例えば、以下で引用する特許文献１に開示されており、この文献はレーザエネルギーを流体粒子に付与してターゲット表面に破壊力を加えることを記載している。
【００４２】
本明細書における開示のために、ターゲット表面を診断し、監視し及び／又はターゲット表面に影響を及ぼすために有用な電磁放射を出力することができるレーザについて説明してきた。光ファイバチップ放射を用いる手技の場合、プローブは、例えば根管内の歯の構造を治療（例えば切除）するために治療放射をターゲット表面に伝達するための１つ又はそれ以上のパワーファイバ又は治療ファイバを含むことができる。本明細書で説明するいずれの実施形態においても、治療用放射及び／又は流体出力部からの流体の送出と同時に、又は間欠的に、又は別に、照明及び／又は診断用の光を送出することができる。
【００４３】
本明細書において、及び／又は、本開示及び本発明の名前を挙げられたいずれかの発明者又は譲受人の名によるあらゆる同時係属中の、放棄された、又は特許された出願において開示又は参照される、対応する又は関連する構造及び方法は、引用によりその全体が本明細書に組み入れられ、ここでそのような組み入れは、本開示による本発明のいずれかの部分、そこで引用された出願又は文献のいずれかの部分、及び当業者の知識及び判断、と共に又は組み合せて、全体的又は部分的に、（ｉ）動作可能であり及び／又は構成され、（ｉｉ）動作可能であるように及び／又は構成するように当業者により修正され、及び／又は（ｉｉｉ）実装／作成／使用されることができる、対応する又は関連する構造体（及びそれらの修正）を含む。
【００４４】
そのような特許文献としては、「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題する特許文献３、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献４、「Ｍｅｔｈｏｄｓ  ｆｏｒ  ｔｒｅａｔｉｎｇ  ｅｙｅ  ｃｏｎｄｉｔｉｏｎｓ」と題する特許文献５、「Ｄｕａｌ  ｐｕｌｓｅ−ｗｉｄｔｈ  ｍｅｄｉｃａｌ  ｌａｓｅｒ」と題する特許文献６、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献７、「Ｍｅｔｈｏｄｓ  ｆｏｒ  ｔｒｅａｔｉｎｇ  ｅｙｅ  ｃｏｎｄｉｔｉｏｎｓ」と題する特許文献８、「Ｍｅｔｈｏｄｓ  ｆｏｒ  ｔｒｅａｔｉｎｇ  ｅｙｅ  ｃｏｎｄｉｔｉｏｎｓ」と題する特許文献９、「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題する特許文献１０、「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題する特許文献１１、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１２、「Ｔａｒｇｅｔ−ｃｌｏｓｅ  ｅｌｅｃｔｒｏｍａｇｎｅｔｉｃ  ｅｎｅｒｇｙ  ｅｍｉｔｔｉｎｇ  ｄｅｖｉｃｅ」と題する特許文献１３、「Ｔｉｓｓｕｅ  ｔｒｅａｔｍｅｎｔ  ｄｅｖｉｃｅ  ａｎｄ  ｍｅｔｈｏｄ」と題する特許文献１４、「Ｍｏｄｉｆｉｅｄ−ｏｕｔｐｕｔ  ｆｉｂｅｒ  ｏｐｔｉｃ  ｔｉｐｓ」と題する特許文献１５、「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題する特許文献１６、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１７、「Ｅｌｅｃｔｒｏｍａｇｎｅｔｉｃ  ｅｎｅｒｇｙ  ｏｕｔｐｕｔ  ｓｙｓｔｅｍ」と題する特許文献１８、「Ｍｅｔｈｏｄｓ  ｆｏｒ  ｔｒｅａｔｉｎｇ  ｅｙｅ  ｃｏｎｄｉｔｉｏｎｓ」と題する特許文献１９、「Ｄｕａｌ  ｐｕｌｓｅ−ｗｉｄｔｈ  ｍｅｄｉｃａｌ  ｌａｓｅｒ」と題する特許文献２０、「Ｍｏｄｉｆｉｅｄ−ｏｕｔｐｕｔ  ｆｉｂｅｒ  ｏｐｔｉｃ  ｔｉｐｓ」と題する特許文献２１、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献２２、「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題する特許文献２３、「Ｈａｎｄｐｉｅｃｅｓ  ｈａｖｉｎｇ  ｉｌｌｕｍｉｎａｔｉｏｎ  ａｎｄ  ｌａｓｅｒ  ｏｕｔｐｕｔｓ」と題する特許文献２４、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献２５、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献２６、「Ｍｅｔｈｏｄｓ  ｆｏｒ  ｔｒｅａｔｉｎｇ  ｅｙｅ  ｃｏｎｄｉｔｉｏｎｓ」と題する特許文献２７、「Ｍｅｔｈｏｄｓ  ｆｏｒ  ｔｒｅａｔｉｎｇ  ｅｙｅ  ｃｏｎｄｉｔｉｏｎｓ」と題する特許文献２８、「Ｆｉｂｅｒ  ｔｉｐ  ｆｌｕｉｄ  ｏｕｔｐｕｔ  ｄｅｖｉｃｅ」と題する特許文献２９、「Ｍｏｄｉｆｉｅｄ−ｏｕｔｐｕｔ  ｆｉｂｅｒ  ｏｐｔｉｃ  ｔｉｐｓ」と題する特許文献３０、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献３１、「Ｔａｐｅｒｅｄ  ｆｕｓｅｄ  ｗａｖｅｇｕｉｄｅ  ｆｏｒ  ｄｅｌｉｖｅｒｉｎｇ  ｔｒｅａｔｍｅｎｔ  ｅｌｅｃｔｒｏｍａｇｎｅｔｉｃ  ｒａｄｉａｔｉｏｎ  ｔｏｗａｒｄ  ａ  ｔａｒｇｅｔ  ｓｕｒｆａｃｅ」と題する特許文献３２、「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題する特許文献３３、「Ｆｌｕｉｄ  ａｎｄ  ｌａｓｅｒ  ｓｙｓｔｅｍ」と題する特許文献３４、「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題する特許文献３５、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献３６、「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題する特許文献３７、「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題する特許文献３８、「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題する特許文献３９、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献４０、「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題する特許文献４１、「Ｆｉｂｅｒ  ｔｉｐ  ｆｌｕｉｄ  ｏｕｔｐｕｔ  ｄｅｖｉｃｅ」と題する特許文献４２、「Ｄｅｖｉｃｅ  ｆｏｒ  ｄｅｎｔａｌ  ｃａｒｅ  ａｎｄ  ｗｈｉｔｅｎｉｎｇ」と題する特許文献４３、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献４４、「Ｆｉｂｅｒ  ｄｅｔｅｃｔｏ���  ａｐｐａｒａｔｕｓ  ａｎｄ  ｒｅｌａｔｅｄ  ｍｅｔｈｏｄｓ」と題する特許文献４５、「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題する特許文献４６、「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題する特許文献４７、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｃｕｔｔｉｎｇ」と題する特許文献４８、「Ｄｅｖｉｃｅ  ｆｏｒ  ｒｅｄｕｃｔｉｏｎ  ｏｆ  ｔｈｅｒｍａｌ  ｌｅｎｓｉｎｇ」と題する特許文献４９、「Ｔｉｓｓｕｅ  ｒｅｍｏｖｅｒ  ａｎｄ  ｍｅｔｈｏｄ」と題する特許文献５０、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文５１、「Ｄｅｖｉｃｅ  ｆｏｒ  ｄｅｎｔａｌ  ｃａｒｅ  ａｎｄ  ｗｈｉｔｅｎｉｎｇ」と題する特許文献５２、「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅ  ｃｕｔｔｉｎｇ」と題する特許文献５３、「Ｆｉｂｅｒ  ｔｉｐ  ｆｌｕｉｄ  ｏｕｔｐｕｔ  ｄｅｖｉｃｅ」と題する特許文献５４、「Ｆｌｕｉｄ  ｃｏｎｄｉｔｉｏｎｉｎｇ  ｓｙｓｔｅｍ」と題する特許文献５５、「Ｅｌｅｃｔｒｏｍａｇｎｅｔｉｃａｌｌｙ  ｉｎｄｕｃｅｄ  ｃｕｔｔｉｎｇ  ｗｉｔｈ  ａｔｏｍｉｚｅｄ  ｆｌｕｉｄ  ｐａｒｔｉｃｌｅｓ  ｆｏｒ  ｄｅｒｍａｔｏｌｏｇｉｃａｌ  ａｐｐｌｉｃａｔｉｏｎｓ」と題する特許文献５６、「Ｌｉｇｈｔ−ａｃｔｉｖａｔｅｄ  ｈａｉｒ  ｔｒｅａｔｍｅｎｔ  ａｎｄ  ｒｅｍｏｖａｌ  ｄｅｖｉｃｅ」と題する特許文献５７、「Ｒｏｔａｔｉｎｇ  ｈａｎｄｐｉｅｃｅ」と題する特許文献５８、「Ｆｌｕｉｄ  ｃｏｎｄｉｔｉｏｎｉｎｇ  ｓｙｓｔｅｍ」と題する特許文献５９、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献６０、「Ｔｉｓｓｕｅ  ｒｅｍｏｖｅｒ  ａｎｄ  ｍｅｔｈｏｄ」と題する特許文献６１、「Ｍａｔｅｒｉａｌ  ｒｅｍｏｖｅｒ  ａｎｄ  ｍｅｔｈｏｄ」と題する特許文献６２、「Ｄｅｎｔａｌ  ａｎｄ  ｍｅｄｉｃａｌ  ｐｒｏｃｅｄｕｒｅｓ  ｅｍｐｌｏｙｉｎｇ  ｌａｓｅｒ  ｒａｄｉａｔｉｏｎ」と題する特許文献６３、「Ｕｓｅｒ  ｐｒｏｇｒａｍｍａｂｌｅ  ｃｏｍｂｉｎａｔｉｏｎ  ｏｆ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題する特許文献６４、「Ｆｌｕｉｄ  ｃｏｎｄｉｔｉｏｎｉｎｇ  ｓｙｓｔｅｍ」と題する特許文献６５、及び、「Ａｔｏｍｉｚｅｄ  ｆｌｕｉｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題する特許文献６６が挙げられるが、これらに限定されない。
【００４５】
さらに、上記の開示及び引用された事項、並びに引用された頁に記載されたものは、以下の公開された出願及びその中で引用された事項において、全体的又は部分的に説明された、対応又は関連する構造及び方法と共に、全体的又は部分的に動作可能であるか又は動作可能となるように修正することができることが意図されており、それら出願を以下に列挙する。「Ｍｅｔｈｏｄｓ  ｆｏｒ  ｔｒｅａｔｉｎｇ  ｅｙｅ  ｃｏｎｄｉｔｉｏｎｓ」と題する特許文献６７、「Ｍｅｔｈｏｄｓ  ｆｏｒ  ｔｒｅａｔｉｎｇ  ｅｙｅ  ｃｏｎｄｉｔｉｏｎｓ」と題する特許文献６８、「Ｈａｎｄｐｉｅｃｅ  ｆｉｎｇｅｒ  ｓｗｉｔｃｈ  ｆｏｒ  ａｃｔｕａｔｉｏｎ  ｏｆ  ｈａｎｄｈｅｌｄ  ｍｅｄｉｃａｌ  ｉｎｓｔｒｕｍｅｎｔａｔｉｏｎｓ」と題する特許文献６９、「Ｐｌａｑｕｅ  ｔｏｏｔｈｔｏｏｌ  ａｎｄ  ｄｅｎｔｉｆｒｉｃｅ  ｓｙｓｔｅｍ」と題する特許文献７０、「Ｈｉｇｈ  ｐｏｗｅｒ  ｒａｄｉａｔｉｏｎ  ｓｏｕｒｃｅ  ｗｉｔｈ  ａｃｔｉｖｅ−ｍｅｄｉａ  ｈｏｕｓｉｎｇ」と題する特許文献７１、「Ｈｉｇｈ  ｐｏｗｅｒ  ｒａｄｉａｔｉｏｎ  ｓｏｕｒｃｅ  ｗｉｔｈ  ａｃｔｉｖｅ−ｍｅｄｉａ  ｈｏｕｓｉｎｇ」と題する特許文献７２、「Ｄｒｉｌｌ  ａｎｄ  ｆｌａｖｏｒｅｄ  ｆｌｕｉｄ  ｐａｒｔｉｃｌｅｓ  ｃｏｍｂｉｎａｔｉｏｎ」と題する特許文献７３、「Ｔａｒｇｅｔ−ｃｌｏｓｅ  ｅｌｅｃｔｒｏｍａｇｎｅｔｉｃ  ｅｎｅｒｇｙ  ｅｍｉｔｔｉｎｇ  ｄｅｖｉｃｅ」と題する特許文献７４、「Ｆｌｕｉｄ  ａｎｄ  ｐｕｌｓｅｄ  ｅｎｅｒｇｙ  ｏｕｔｐｕｔ  ｓｙｓｔｅｍ」と題する特許文献７５、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献７６、「Ｅｆｆｉｃｉｅｎｔ  ｌａｓｅｒ  ａｎｄ  ｆｌｕｉｄ  ｃｏｎｄｉｔｉｏｎｉｎｇ  ａｎｄ  ｃｕｔｔｉｎｇ  ｓｙｓｔｅｍ」と題する特許文献７７、「Ｅｌｅｃｔｒｏｍａｇｎｅｔｉｃａｌｌｙ  ｉｎｄｕｃｅｄ  ｔｒｅａｔｍｅｎｔ  ｄｅｖｉｃｅｓ  ａｎｄ  ｍｅｔｈｏｄｓ」と題する特許文献７８、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献７９、「Ｄｅｖｉｃｅ  ｈａｖｉｎｇ  ａｃｔｉｖａｔｅｄ  ｔｅｘｔｕｒｅｄ  ｓｕｒｆａｃｅｓ  ｆｏｒ  ｔｒｅａｔｉｎｇ  ｏｒａｌ  ｔｉｓｓｕｅ」と題する特許文献８０、「Ｆｌｕｉｄ  ｃｏｎｄｉｔｉｏｎｉｎｇ  ｓｙｓｔｅｍ」と題する特許文献８１、「Ｅｌｅｃｔｒｏｍａｇｎｅｔｉｃ  ｅｎｅｒｇｙ  ｏｕｔｐｕｔ  ｓｙｓｔｅｍ」と題する特許文献８２、「Ｅｌｅｃｔｒｏｍａｇｎｅｔｉｃ  ｅｎｅｒｇｙ  ｏｕｔｐｕｔ  ｓｙｓｔｅｍ」と題する特許文献８２、「Ｎｏｎ−ｃｏｎｔａｃｔ  ｈａｎｄｐｉｅｃｅ  ｆｏｒ  ｌａｓｅｒ  ｔｉｓｓｕｅ  ｃｕｔｔｉｎｇ」と題する特許文献８３、「Ｓａｔｅｌｌｉｔｅ−ｐｌａｔｆｏｒｍｅｄ  ｅｌｅｃｔｒｏｍａｇｎｅｔｉｃ  ｅｎｅｒｇｙ  ｔｒｅａｔｍｅｎｔ  ｄｅｖｉｃｅ」と題する特許文献８４、「Ｄｒｉｌｌ  ａｎｄ  ｆｌａｖｏｒｅｄ  ｆｌｕｉｄ  ｐａｒ���ｉｃｌｅｓ  ｃｏｍｂｉｎａｔｉｏｎ」と題する特許文献８５、「Ｍｏｄｉｆｉｅｄ−ｏｕｔｐｕｔ  ｆｉｂｅｒ  ｏｐｔｉｃ  ｔｉｐｓ」と題する特許文献８６、「Ｍｅｔｈｏｄｓ  ａｎｄ  ｄｅｖｉｃｅｓ  ｆｏｒ  ｔｒｅａｔｉｎｇ  ｐｒｅｓｂｙｏｐｉａ」と題する特許文献８７、「Ｔｕｎｎｅｌｉｎｇ  ｐｒｏｂｅ」と題する特許文献８８、「Ｉｎｔｅｒｖｅｎｔｉｏｎａｌ  ａｎｄ  ｔｈｅｒａｐｅｕｔｉｃ  ｅｌｅｃｔｒｏｍａｇｎｅｔｉｃ  ｅｎｅｒｇｙ  ｓｙｓｔｅｍｓ」と題する特許文献８９、「Ｗｒｉｓｔ−ｍｏｕｎｔｅｄ  ｌａｓｅｒ  ｗｉｔｈ  ａｎｉｍａｔｅｄ，  ｐａｇｅ−ｂａｓｅｄ  ｇｒａｐｈｉｃａｌ  ｕｓｅｒ−ｉｎｔｅｒｆａｃｅ」と題する特許文献９０、「Ｍｅｄｉｃａｌ  ｌａｓｅｒ  ｈａｖｉｎｇ  ｃｏｎｔｒｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」と題する特許文献９１、「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題する特許文献９２、「Ｄｒｉｌｌ  ａｎｄ  ｆｌａｖｏｒｅｄ  ｆｌｕｉｄ  ｐａｒｔｉｃｌｅｓ  ｃｏｍｂｉｎａｔｉｏｎ」と題する特許文献９３、「Ｆｌｕｉｄ  ａｎｄ  ｐｕｌｓｅｄ  ｅｎｅｒｇｙ  ｏｕｔｐｕｔ  ｓｙｓｔｅｍ」と題する特許文献９４、「Ｆｉｂｅｒ  ｔｉｐ  ｆｌｕｉｄ  ｏｕｔｐｕｔ  ｄｅｖｉｃｅ」と題する特許文献９５、「Ｐｒｏｂｅｓ  ａｎｄ  ｂｉｏｆｌｕｉｄｓ  ｆｏｒ  ｔｒｅａｔｉｎｇ  ａｎｄ  ｒｅｍｏｖｉｎｇ  ｄｅｐｏｓｉｔｓ  ｆｒｏｍ  ｔｉｓｓｕｅ  ｓｕｒｆａｃｅｓ」と題する特許文献９６、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献９７、「Ｍｅｔｈｏｄｓ  ｆｏｒ  ｔｒｅａｔｉｎｇ  ｅｙｅ  ｃｏｎｄｉｔｉｏｎｓ  ｗｉｔｈ  ｌｏｗ−ｌｅｖｅｌ  ｌｉｇｈｔ  ｔｈｅｒａｐｙ」と題する特許文献９８、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献９９、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１００、「Ｆｌｕｉｄ  ｃｏｎｔｒｏｌｌａｂｌｅ  ｌａｓｅｒ  ｅｎｄｏｄｏｎｔｉｃ  ｃｌｅａｎｉｎｇ  ａｎｄ  ｄｉｓｉｎｆｅｃｔｉｎｇ  ｓｙｓｔｅｍ」と題する特許文献１０１、「Ｓｕｒｆａｃｅ  ｓｔｒｕｃｔｕｒｅ  ｍｏｄｉｆｉｃａｔｉｏｎ」と題する特許文献１０２、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｔｒａｎｓｐａｒｅｎｔ  ｄｅｎｔｉｆｒｉｃｅ  ｓｙｓｔｅｍ」と題する特許文献１０３、「Ｔｒａｎｓｐａｒｅｎｔ  ｄｅｎｔｉｆｒｉｃｅ  ｆｏｒ  ｕｓｅ  ｗｉｔｈ  ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ｓｙｓｔｅｍ」と題する特許文献１０４、「Ｗｒｉｓｔ−ｍｏｕｎｔｅｄ  ｌａｓｅｒ  ｗｉｔｈ  ａｎｉｍａｔｅｄ，  ｐａｇｅ−ｂａｓｅｄ  ｇ���ａｐｈｉｃａｌ  ｕｓｅｒ−ｉｎｔｅｒｆａｃｅ」と題する特許文献１０５、「Ｍｅｄｉｃａｌ  ｌａｓｅｒ  ｈａｖｉｎｇ  ｃｏｎｔｒｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」と題する特許文献１０６、「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題する特許文献１０７、「Ｄｒｉｌｌ  ａｎｄ  ｆｌａｖｏｒｅｄ  ｆｌｕｉｄ  ｐａｒｔｉｃｌｅｓ  ｃｏｍｂｉｎａｔｉｏｎ」と題する特許文献１０８、「Ｆｌｕｉｄ  ａｎｄ  ｐｕｌｓｅｄ  ｅｎｅｒｇｙ  ｏｕｔｐｕｔ  ｓｙｓｔｅｍ」と題する特許文献１０９、「Ｆｉｂｅｒ  ｔｉｐ  ｆｌｕｉｄ  ｏｕｔｐｕｔ  ｄｅｖｉｃｅ」と題する特許文献１１０、「Ｐｒｏｂｅｓ  ａｎｄ  ｂｉｏｆｌｕｉｄｓ  ｆｏｒ  ｔｒｅａｔｉｎｇ  ａｎｄ  ｒｅｍｏｖｉｎｇ  ｄｅｐｏｓｉｔｓ  ｆｒｏｍ  ｔｉｓｓｕｅ  ｓｕｒｆａｃｅｓ」と題する特許文献１１１、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献１１２、「Ｍｅｔｈｏｄｓ  ｆｏｒ  ｔｒｅａｔｉｎｇ  ｅｙｅ  ｃｏｎｄｉｔｉｏｎｓ  ｗｉｔｈ  ｌｏｗ−ｌｅｖｅｌ  ｌｉｇｈｔ  ｔｈｅｒａｐｙ」と題する特許文献１１３、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献１１４、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１１５、「Ｆｌｕｉｄ  ｃｏｎｔｒｏｌｌａｂｌｅ  ｌａｓｅｒ  ｅｎｄｏｄｏｎｔｉｃ  ｃｌｅａｎｉｎｇ  ａｎｄ  ｄｉｓｉｎｆｅｃｔｉｎｇ  ｓｙｓｔｅｍ」と題する特許文献１１６、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｔｒａｎｓｐａｒｅｎｔ  ｄｅｎｔｉｆｒｉｃｅ  ｓｙｓｔｅｍ」と題する特許文献１１７、「Ｔｒａｎｓｐａｒｅｎｔ  ｄｅｎｔｉｆｒｉｃｅ  ｆｏｒ  ｕｓｅ  ｗｉｔｈ  ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ｓｙｓｔｅｍ」と題する特許文献１１８、「Ｍｏｄｉｆｉｅｄ−ｏｕｔｐｕｔ  ｆｉｂｅｒ  ｏｐｔｉｃ  ｔｉｐｓ」と題する特許文献１１９、「Ｍｅｔｈｏｄ  ａｎｄ  ａｐｐａｒａｔｕｓ  ｆｏｒ  ｃｏｎｔｒｏｌｌｉｎｇ  ａｎ  ｅｌｅｃｔｒｏｍａｇｎｅｔｉｃ  ｅｎｅｒｇｙ  ｏｕｔｐｕｔ  ｓｙｓｔｅｍ」と題する特許文献１２０、「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題する特許文献１２１、「Ｍｕｌｔｉｐｌｅ  ｆｉｂｅｒ−ｔｙｐｅ  ｔｉｓｓｕｅ  ｔｒｅａｔｍｅｎｔ  ｄｅｖｉｃｅ  ａｎｄ  ｒｅｌａｔｅｄ  ｍｅｔｈｏｄ」と題する特許文献１２２、「Ｍｏｄｉｆｉｅｄ−ｏｕｔｐｕｔ  ｆｉｂｅｒ  ｏｐｔｉｃ  ｔｉｐｓ」と題する特許文献１２３、「Ｄｕａｌ  ｐｕ��ｓｅ−ｗｉｄｔｈ  ｍｅｄｉｃａｌ  ｌａｓｅｒ」と題する特許文献１２４、「Ｔａｒｇｅｔ−ｃｌｏｓｅ  ｅｌｅｃｔｒｏｍａｇｎｅｔｉｃ  ｅｎｅｒｇｙ  ｅｍｉｔｔｉｎｇ  ｄｅｖｉｃｅ」と題する特許文献１２５、「Ｅｌｅｃｔｒｏｍａｇｎｅｔｉｃ  ｅｎｅｒｇｙ  ｏｕｔｐｕｔ  ｓｙｓｔｅｍ」と題する特許文献１２６、「Ｅｌｅｃｔｒｏｍａｇｎｅｔｉｃ  ｅｎｅｒｇｙ  ｏｕｔｐｕｔ  ｓｙｓｔｅｍ」と題する特許文献１２７、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１２８、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１２９、「Ｆｌｕｉｄ  ａｎｄ  ｌａｓｅｒ  ｓｙｓｔｅｍ」と題する特許文献１３０、「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題する特許文献１３１、「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題する特許文献１３２、「Ｍｅｔｈｏｄｓ  ｆｏｒ  ｔｒｅａｔｉｎｇ  ｅｙｅ  ｃｏｎｄｉｔｉｏｎｓ」と題する特許文献１３３、「Ｍｅｔｈｏｄｓ  ｆｏｒ  ｔｒｅａｔｉｎｇ  ｅｙｅ  ｃｏｎｄｉｔｉｏｎｓ」と題する特許文献１３４、「Ｍｅｔｈｏｄｓ  ｆｏｒ  ｔｒｅａｔｉｎｇ  ｅｙｅ  ｃｏｎｄｉｔｉｏｎｓ」と題する特許文献１３５、
「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題する特許文献１３６、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１３７、「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題する特許文献１３８、「Ｍｅｔｈｏｄｓ  ｆｏｒ  ｔｒｅａｔｉｎｇ  ｅｙｅ  ｃｏｎｄｉｔｉｏｎｓ」と題する特許文献１３９、「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題する特許文献１４０、「Ｍｅｔｈｏｄｓ  ｆｏｒ  ｔｒｅａｔｉｎｇ  ｅｙｅ  ｃｏｎｄｉｔｉｏｎｓ」と題する特許文献１４１、「Ｈｉｇｈ  ｅｆｆｉｃｉｅｎｃｙ  ｅｌｅｃｔｒｏｍａｇｎｅｔｉｃ  ｌａｓｅｒ  ｅｎｅｒｇｙ  ｃｕｔｔｉｎｇ  ｄｅｖｉｃｅ」と題する特許文献１４２、「Ｍｅｔｈｏｄｓ  ｆｏｒ  ｔｒｅａｔｉｎｇ  ｅｙｅ  ｃｏｎｄｉｔｉｏｎｓ」と題する特許文献１４３、「Ｍｅｔｈｏｄｓ  ｆｏｒ  ｔｒｅａｔｉｎｇ  ｅｙｅ  ｃｏｎｄｉｔｉｏｎｓ」と題する特許文献１４４、「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題する特許文献１４５、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献１４６、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献１４７、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献１４８、「Ｍｏｄｉｆｉｅｄ−ｏｕｔｐｕｔ  ｆｉｂｅｒ  ｏｐｔｉｃ  ｔｉｐｓ」と題する特許文献１４９、「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題する特許文献１５０、「Ｔｉｓｓｕｅ  ｔｒｅａｔｍｅｎｔ  ｄｅｖｉｃｅ  ａｎｄ  ｍｅｔｈｏｄ」と題する特許文献１５１、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献１５２、「Ｆｌｕｉｄ  ｃｏｎｄｉｔｉｏｎｉｎｇ  ｓｙｓｔｅｍ」と題する特許文献１５３、「Ｃａｒｉｅｓ  ｄｅｔｅｃｔｉｏｎ  ｕｓｉｎｇ  ｒｅａｌ−ｔｉｍｅ  ｉｍａｇｉｎｇ  ａｎｄ  ｍｕｌｔｉｐｌｅ  ｅｘｃｉｔａｔｉｏｎ  ｆｒｅｑｕｅｎｃｉｅｓ」と題する特許文献１５４、「Ｏｕｔｐｕｔ  ａｔｔａｃｈｍｅｎｔｓ  ｃｏｄｅｄ  ｆｏｒ  ｕｓｅ  ｗｉｔｈ  ｅｌｅｃｔｒｏｍａｇｎｅｔｉｃ−ｅｎｅｒｇｙ  ｐｒｏｃｅｄｕｒａｌ  ｄｅｖｉｃｅ」と題する特許文献１５５、「Ｆｉｂｅｒ  ｔｉｐ  ｆｌｕｉｄ  ｏｕｔｐｕｔ  ｄｅｖｉｃｅ」と題する特許文献１５６、「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題する特許文献１５７、「Ｄｅｖｉｃｅ  ｆｏｒ  ｄｅｎｔａｌ  ｃａｒｅ  ａｎｄ  ｗｈｉｔｅｎｉｎｇ」と題する特許文献１５８、「Ｄｅｖｉｃｅ  ｆｏｒ  ｄｅｎｔａｌ  ｃａｒｅ  ａｎｄ  ｗｈｉｔｅｎｉｎｇ」と題する特許文献１５９、「Ｄｅｖｉｃｅ  ｆｏｒ  ｄｅｎｔａｌ  ｃａｒｅ  ａｎｄ  ｗｈｉｔｅｎｉｎｇ」と題する特許文献１６０、「Ｄｅｖｉｃｅ  ｆｏｒ  ｄｅｎｔａｌ  ｃａｒｅ  ａｎｄ  ｗｈｉｔｅｎｉｎｇ」と題する特許文献１６１、「Ｖｉｓｕａｌ  ｆｅｅｄｂａｃｋ  ｉｍｐｌｅｍｅｎｔｓ  ｆｏｒ  ｅｌｅｃｔｒｏｍａｇｎｅｔｉｃ  ｅｎｅｒｇｙ  ｏｕｔｐｕｔ  ｄｅｖｉｃｅ」と題する特許文献１６２、「Ｌａｓｅｒ  ｈａｎｄｐｉｅｃｅ  ａｒｃｈｉｔｅｃｔｕｒｅ  ａｎｄ  ｍｅｔｈｏｄｓ」と題する特許文献１６３、「Ｅｌｅｃｔｒｏｍａｇｎｅｔｉｃ  ｅｎｅｒｇｙ  ｅｍｉｔｔｉｎｇ  ｄｅｖｉｃｅ  ｗｉｔｈ  ｉｎｃｒｅａｓｅｄ  ｓｐｏｔ  ｓｉｚｅ」と題する特許文献１６４、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１６５、「Ｄｅｖｉｃｅ  ｈａｖｉｎｇ  ａｃｔｉｖａｔｅｄ  ｔｅｘｔｕｒｅｄ  ｓｕｒｆａｃｅｓ  ｆｏｒ  ｔｒｅａｔｉｎｇ  ｏｒａｌ  ｔｉｓｓｕｅ」と題する特許文献１６６、「Ｔｉｓｓｕｅ  ｃｏｖｅｒｉｎｇｓ  ｂｅａｒｉｎｇ  ｃｕｓｔｏｍｉｚｅｄ  ｔｉｓｓｕｅ  ｉｍａｇｅｓ」と題する特許文献１６７、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献１６８、「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題する特許文献１６９、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｄｉｓｒｕｐｔｉｖｅ  ｃｕｔｔｉｎｇ」と題する特許文献１７０、「Ｆｌｕｉｄ  ｃｏｎｄｉｔｉｏｎｉｎｇ  ｓｙｓｔｅｍ」と題する特許文献１７１、「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題する特許文献１７２、「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題する特許文献１７３、「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題する特許文献１７４、「Ｉｄｅｎｔｉｆｉｃａｔｉｏｎ  ｃｏｎｎｅｃｔｏｒ  ｆｏｒ  ａ  ｍｅｄｉｃａｌ  ｌａｓｅｒ  ｈａｎｄｐｉｅｃｅ」と題する特許文献１７５、「Ｍｅｄｉｃａｌ  ｌａｓｅｒ  ｈａｖｉｎｇ  ｃｏｎｔｒｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」と題する特許文献１７６、「Ｄｕａｌ  ｐｕｌｓｅ−ｗｉｄ���ｈ  ｍｅｄｉｃａｌ  ｌａｓｅｒ」と題する特許文献１７７、「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題する特許文献１７８、「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題する特許文献１７９、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１８０、「Ｔｉｓｓｕｅ  ｒｅｍｏｖｅｒ  ａｎｄ  ｍｅｔｈｏｄ」と題する特許文献１８１、「Ｆｌｕｉｄ  ｃｏｎｄｉｔｉｏｎｉｎｇ  ｓｙｓｔｅｍ」と題する特許文献１８２、「Ｍｏｄｉｆｉｅｄ−ｏｕｔｐｕｔ  ｆｉｂｅｒ  ｏｐｔｉｃ  ｔｉｐｓ」と題する特許文献１８３、「Ｅｌｅｃｔｒｏｍａｇｎｅｔｉｃａｌｌｙ  ｉｎｄｕｃｅｄ  ｔｒｅａｔｍｅｎｔ  ｄｅｖｉｃｅｓ  ａｎｄ  ｍｅｔｈｏｄｓ」と題する特許文献１８４、「Ｉｌｌｕｍｉｎａｔｉｏｎ  ｄｅｖｉｃｅ  ａｎｄ  ｒｅｌａｔｅｄ  ｍｅｔｈｏｄｓ」と題する特許文献１８５、「Ｄｅｖｉｃｅ  ｆｏｒ  ｄｅｎｔａｌ  ｃａｒｅ  ａｎｄ  ｗｈｉｔｅｎｉｎｇ」と題する特許文献１８６、「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅ  ｃｕｔｔｉｎｇ」と題する特許文献１８７、「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題する特許文献１８８、「Ｔｉｓｓｕｅ  ｒｅｍｏｖｅｒ  ａｎｄ  ｍｅｔｈｏｄ」と題する特許文献１８９、「Ｆｉｂｅｒ  ｔｉｐ  ｆｌｕｉｄ  ｏｕｔｐｕｔ  ｄｅｖｉｃｅ」と題する特許文献１９０、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１９１、及び、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題する特許文献１９２。
【００４６】
上記の出願の全ての内容は、引用によりその全体が本明細書に組み入れられる。本明細書における開示は特定の例証的な実施形態について言及するものであるが、これらの実施形態は限定のためではなく例証として提示したものであることを理解されたい。例えば、いずれの放射出力（例えば、レーザ）、いずれの流体出力（例えば、水出力）、及びいずれの調整剤、粒子、試薬など、並びにそれらの詳細又は特徴、並びに方法ステップ及び技術を含めた他の特徴も、本明細書で説明又は言及したいずれかの他の構造及びプロセスと共に、全体的又は部分的に、任意の組合せ又は並べ替えで、本発明の、非均等の、別箇の、非互換性の態様として、用いることができる。本発明の一部分として、その文脈、本明細書、及び当業者の知識から明白に相互に矛盾しない範囲で、本明細書において明確に意図され、開示され及び特許請求される、対応する又は関連する構造及び方法は、その修正を含めて、全体的に又は部分的に、本開示による本発明のいずれかの部分と共に又は組み合せて、（ｉ）動作可能であり及び／又は構成され、（ｉｉ）動作可能であるように及び／又は構成するように当業者により修正され、及び／又は（ｉｉｉ）実装／作成／使用することができ、（Ｉ）上記で開示され又は言及された構造及び方法のいずれか１つ又はそれ以上の部分、及び／又は（ＩＩ）以下の特許請求の範囲及びその部分のいずれか１つ又はそれ以上の主題を、任意の並べ替え及び／又は組合せで含む。本開示に伴う意図は、そのような実施形態が、当業者の知識と併せて、実施形態の全ての修正、バリエーション、組合せ、並べ替え、省略、置き換え、代替、及び均等を、互いに矛盾しない範囲で、添付の特許請求の範囲によってのみ限定される本発明の趣旨及び範囲に入り得るものとして包含すると解釈されることである。
【図２】
2013543256.tif 000003
【図３】
2013543256.tif 000004
【図４】
2013543256.tif 000005
【図１】
2013543256.tif 000006
【国際調査報告】
2013543256.tif 000007